(57)【要約】【課題】自分の好みの色や模様を自由に表現することができる簡単な構造のぬいぐるみタイプの人形玩具。【解決手段】以下の要件を備えたことを特徴とする人形玩具。（イ）それぞれ独立の頭部１と胴体部２と１対の手足部３、４を備えていること（ロ）上記頭部１、胴体部２および１対の手足部３、４は、それぞれ表側に胴体部２又は手足の外形を模した凸面５を有する型出し部材６と、この型出し部材６の表面を覆う布材７と、この布材７を、上記型出し部材６の外周縁から裏側に巻きこんだ状態で上記型出し部材６の裏側に固定される裏当て部材８とから構成されること【選択図】図１
2005034451.tif 000002
【特許請求の範囲】
【請求項１】
以下の要件を備えたことを特徴とする人形玩具。
（イ）それぞれ独立の頭部と胴体部と１対の手足部を備えていること
（ロ）上記頭部、胴体部および１対の手足部は、それぞれ表側に胴体部又は手足の外形を模した凸面を有する型出し部材と、この型出し部材の表面を覆う布材と、この布材を、上記型出し部材の外周縁から裏側に巻きこんだ状態で上記型出し部材の裏側に固定される裏当て部材とから構成されること
【請求項２】
前記頭部、胴体部および手足部は、胴体部の外周縁の外形と略同じ形状の輪郭の板状のベース部材に取り付けられている、請求項１記載の人形玩具。
【請求項３】
以下の要件を備えたことを特徴とする、人形玩具の製作玩具。
（イ）表側に頭部、胴体部又は手足の外形を模した凸面を有する型出し部材を布材で覆った状態で保持する型を有すること
（ロ）玩具本体には、型を保持する保持部と、型出し部材の裏側に裏当て部材を固定するための固定手段とを備えたこと
（ハ）上記固定手段は、表面が布材で覆われた状態で型に保持された型出し部材の外周縁から裏側に巻きこんだ状態で、裏当て部材を型出し部材の裏側に固定するように設けられていること
【請求項４】
以下の要件を備えた、請求項３記載の人形玩具の製作玩具。
（イ）前記型には、前記布材と前記型出し部材とを収納する凹部が形成されていること
（ロ）前記型は、上記凹部の中央部から放射状に分割されていること
（ハ）前記玩具本体の保持部には、上記分割された分割型を外側から締め込む締め込み手段が設けられていること
【発明の詳細な説明】
【技術分野】
【０００１】
本発明は、ぬいぐるみタイプの人形玩具およびこの人形玩具を製作する製作玩具に関するものである。
【背景技術】
【０００２】
従来から、動物や人を模したぬいぐるみや人形玩具は種々存在する。需要者は見た目のかわいらしさをその購入基準とする。具体的には、形状や色彩で判断する場合が多い。
【０００３】
しかし、ぬいぐるみを製作する場合、詰め物を本体の内部に充填する作業は自動化しにくいので、手作業に頼ることが多く、手数がかかるため、値段も高い。また、市販されているものは、同じようなものが多く、特に好みの色や模様が施されているものを探すのは非常に難しい。
【０００４】
また、需要者は個性的なものを望む傾向が強い。
【発明の開示】
【発明が解決しようとする課題】
【０００５】
本発明は上記問題点を解消し、自分の好みの色や模様を自由に表現することができる簡単な構造のぬいぐるみタイプの人形玩具、およびこの人形玩具を製作することができる製作玩具を提供することをその課題とする。
【課題を解決するための手段】
【０００６】
本発明に係る人形玩具は、以下の要件を備えたことを特徴とする。
（イ）それぞれ独立の頭部と胴体部と１対の手足部を備えていること
（ロ）上記頭部、胴体部および１対の手足部は、それぞれ表側に胴体部又は手足の外形を模した凸面を有する型出し部材と、この型出し部材の表面を覆う布材と、この布材を、上記型出し部材の外周縁から裏側に巻きこんだ状態で上記型出し部材の裏側に固定される裏当て部材とから構成されること
【０００７】
なお、前記頭部、胴体部および手足部は、胴体部の外周縁の外形と略同じ形状の輪郭の板状のベース部材に取り付けるようにするのが好ましい。
【０００８】
また、本はに係る人形玩具の製作玩具は、以下の要件を備えたことを特徴とする。
（イ）表側に頭部、胴体部又は手足の外形を模した凸面を有する型出し部材を布材で覆った状態で保持する型を有すること
（ロ）玩具本体には、型を保持する保持部と、型出し部材の裏側に裏当て部材を固定するための固定手段とを備えたこと
（ハ）上記固定手段は、表面が布材で覆われた状態で型に保持された型出し部材の外周縁から裏側に巻きこんだ状態で、裏当て部材を型出し部材の裏側に固定するように設けられていること
【０００９】
上記製作玩具は、さらに、以下の要件を備えるようにするのがよい。
（イ）前記型には、前記布材と前記型出し部材とを収納する凹部が形成されていること
（ロ）前記型は、上記凹部の中央部から放射状に分割されていること
（ハ）前記玩具本体の保持部には、上記分割された分割型を外側から締め込む締め込み手段が設けられていること
【発明の効果】
【００１０】
請求項１に係る発明によれば、詰め物を詰める必要がないので、簡単にかつ低コストでぬいぐるみ状の人形玩具を製作することができる。また、型出し部材に凸面があるので、綿を詰め込んで所定の形状にする必要がない。しかも、手作りでできるので、布材の色や模様を自分の好みのものに合わせて自由に表現することができる。
【００１１】
請求項２に係る発明によれば、布材を張った胴体部および手足部を簡単にベース部材に組み付けることができ、これによって完成した一体の動物または人の形状にすることができる。
【００１２】
請求項３に係る発明によれば、型出し部材を、その表面に布材を当てて覆った状態で型の内側に保持され、型出し部材の外周縁から裏側に布材を巻きこんだ状態で裏当て部材を型出し部材の裏側に固定することにより、ぬいぐるみ状の人形の胴体部や手足部を製作することができる。
【００１３】
請求項４に係る発明によれば、型を玩具本体の保持部に保持させる際、分割した分割型を締め込むので、布材がしわがでないように張られ、仕上がりがよい。
【発明を実施するための最良の形態】
【００１４】
胴体部および手足部を、胴体部の外周縁の外形と略同じ形状の輪郭の板状のベース部材に取り付け、また、分割型は外側から押圧することによって全体を締め込むようにするのがよい。
【実施例】
【００１５】
図１は、本発明に係る人形玩具の１実施例の正面図、図２は上記人形玩具の正面側からの分解図であり、図３は側面側からの分解図である。
【００１６】
上記人形玩具は、それぞれ独立の頭部１と胴体部２と１対の手足部を備えている。
【００１７】
上記胴体部２（１対の手足部３、４も）は、それぞれ図４に示されるように、表側に胴体部２（又は手足）の外形を模した凸面５を有する型出し部材６と、この型出し部材６の表面を覆う布材７と、この布材７を、上記型出し部材６の外周縁から裏側に巻きこんだ状態で上記型出し部材６の裏側に固定される裏当て部材８とから構成されている。なお、型出し部材６の内面中央には筒部９が形成され、これに対して裏当て部材８には軸部１０が突出形成されている。そして、上記軸部１０が上記筒部９に圧入されて裏当て部材８は型出し部材６に固定され、布材７は型出し部材６の外周縁から裏側に巻き込まれた状態で挟持されている。
【００１８】
上記胴体部２および手足部３、４は、胴体部２の外周縁の外形と略同じ形状の輪郭の板状のベース部材１１に取り付けられている。すなわち、図２および図３に示されるように、ベース部材１１は胴体部２の外周縁の外形と略同じ形状に形成され、その表裏面の中央部には嵌合突部１２が形成されている。また、側部には、手足に対応する部位には嵌合突部１３が形成されている。これに対し、頭部１、胴部および手足部３、４のベース部材１１には嵌合部１４、１５が形成され、頭部１と胴部の嵌合部１４はベース部材１１の嵌合突部１２にきつく嵌合され、また、手足部３、４の嵌合部１５はベース部材１１の嵌合突部１３に回動可能に嵌合されている。
【００１９】
また、上記人形玩具は手作りすることもできるが、図５に示す製作玩具によって簡単に製作することができる。この製作玩具は玩具本体１６と型１７とから構成されている。
【００２０】
型１７は、全体が立方体状に形成され、中央部には頭部１、胴体部２、手足部３、４の型出し部材６に対応した凹部１８が形成され、凹部１８は布材７と型出し部材６とを収納するように形成されている。また、型１７は、上記凹部１８の中央部から放射状に分割型１７ａ〜１７ｄに４分割されている。
【００２１】
玩具本体１６は、上部と中央部と下部に３分割され、図６に示されるように、中央部の一部は左右に開閉する第１の開閉部材１９が設けられ、玩具本体１６側の凹面部２０ａと第１の開閉部材１９に形成された凹面部２０ｂとによって上記型１７を保持する保持部２１が形成されている。なお、保持部２１には、上記分割された分割型１７を外側から締め込む締め込み手段が設けられている。この締め込み手段は、上記凹面部２０の内面に出没自在に形成された凸部２２によって構成されている。凸部２２はバネ２３によって常時突出方向に付勢されている。
【００２２】
また、玩具本体１６の上部は第２の開閉部材２４によって構成され、該第２の開閉部材２４の中央には押しボタン状の固定手段２５が貫通方向に移動可能に設けられている。固定手段２５の裏側には、図７（ａ）に示されるように、裏当て部材８の仮止め部２６が形成されている。この仮止め部２６は裏当て部材８の軸部１０が型１７の筒部９に対応するように配置されている。
【００２３】
次に、上記構成の製作玩具の使用態様を胴体部について説明する。
【００２４】
まず、図８（ａ）（ｂ）のように、型１７の凹部１８の内側に布材７を敷き、その上から型出し部材６を収納する。この状態で型１７を図６および図９（ａ）のように、玩具本体１６の保持部２１に入れて第１の開閉部材１９を閉じる。これにより、同図（ｂ）および図８（ｃ）のように、分割型１７ａ〜１７ｄは保持部２１の凸部２２によって内側に押圧されて互いに締め込まれる。そして、図７（ｂ）のように第２の開閉部材２４の仮止め部２６に裏当て部材８を仮止めした後、第２の開閉部材２４も閉じる。
【００２５】
次に、第２の開閉部材２４の固定手段２５を上から押圧する。これにより、図８（ｄ）および図４に示されるように、表面が布材７で覆われた状態で型１７に保持された型出し部材６の外周縁から裏側に巻きこんだ状態で、裏当て部材８の軸部１０が型出し部材６の筒部９に圧入されて固定される。
【００２６】
以上の作業が終了したら、第１の開閉部材１９と第２の開閉部材２４を開いて完成した胴体部１を取り出せばよい。
【００２７】
同様にして、頭部１、手足部３、４も作り、最後にベース部材に嵌合して全体を完成させればよい。上記人形玩具は詰め物を充填したものではないが、ぬいぐるみタイプの外形が得られる。
【００２８】
布材７は自分の好みの色、模様を選ぶことができるので、手持ちの布地を利用してコストをかけずに楽しむことができる。
【００２９】
なお、人形玩具は動物を模したものでも人を模したものでもよい。
【図面の簡単な説明】
【００３０】
【図１】本発明に係る人形玩具の１実施例の正面図である。
【図２】上記人形玩具の正面側からの分解図である。
【図３】上記人形玩具の側面側からの分解図である。
【図４】上記人形玩具のパーツの断面図である。
【図５】人形玩具の製作玩具の斜視図である。
【図６】上記製作玩具を開いた状態の斜視図である。
【図７】（ａ）（ｂ）は固定手段に裏当て部材を取りつける態様を示す正面図である。
【図８】（ａ）〜（ｄ）は人形玩具の製作態様説明図である。
【図９】（ａ）（ｂ）は型を玩具本体の保持部に保持させる態様を示す平面図である。
【符号の説明】
【００３１】
６    型出し部材
７    布材
８    裏当て部材
１６  玩具本体
１７  型
【図１】
2005034451.tif 000003
【図２】
2005034451.tif 000004
【図３】
2005034451.tif 000005
【図４】
2005034451.tif 000006
【図５】
2005034451.tif 000007
【図６】
2005034451.tif 000008
【図７】
2005034451.tif 000009
【図８】
2005034451.tif 000010
【図９】
2005034451.tif 000011